(57)【要約】【課題】設定しようとする商品の販売価格の妥当性を誤りが少なく短時間でチェックすることができる販売価格設定情報のチェック方法及びシステムを提供する。【解決手段】商品に関する販売価格設定情報の妥当性をチェックするコンピュータは、設定情報の各項目の属性を記録したマスタ群を格納する記憶部を有し、端末から設定情報をコンピュータに入力する入力工程と、コンピュータのデータ処理部が、入力された設定情報のフォーマットをチェックするフォーマットチェック工程と、設定情報の各項目とそれらに対応するマスタ群の各マスタとの整合性をチェックするマスタチェック工程と、設定値の金額をマスタ群中の一のマスタに記録された過去の設定金額の最大値及び最小値に基づいてチェックする設定金額チェック工程を実行する。【選択図】図１
2015132938.tif 000002
【特許請求の範囲】
【請求項１】
コンピュータを利用して商品に関する販売価格設定情報の妥当性をチェックする販売価格設定情報チェック方法において、
該コンピュータは該設定情報の各項目の属性を記録したマスタ群を格納する記憶部を有し、
該コンピュータのデータ処理部の処理により、
該設定情報を該コンピュータに入力する入力工程と、
入力された該設定情報のフォーマットをチェックするフォーマットチェック工程と、
該設定情報の各項目とそれらに対応する該マスタ群の各マスタとの整合性をチェックするマスタチェック工程と、
該設定値の金額を該マスタ群中の一のマスタに記録された過去の設定金額の最大値及び最小値に基づいてチェックする設定金額チェック工程と
を実行することを特徴とする販売価格設定情報のチェック方法。
【請求項２】
前記商品は通信デバイスであり、
前記マスタ群は、販売価格マスタと、商品マスタと、販売チャネルマスタと、料金プランマスタと、割引コードマスタを含み、
前記マスタチェック工程は、
前記設定情報と前記販売価格マスタとの整合性をチェックする販売価格マスタチェック工程と、
前記設定情報と前記商品マスタとの整合性をチェックする商品マスタチェック工程と、
前記設定情報と前記販売チャネルマスタとの整合性をチェックする販売チャネルマスタチェック工程と、
前記設定情報と前記料金プランマスタとの整合性をチェックする料金プランマスタチェック工程と、
前記設定情報と前記割引コードマスタとの整合性をチェックする割引コードマスタチェック工程
を実行することを特徴とする請求項１に記載の販売価格設定情報のチェック方法。
【請求項３】
前記設定金額チェック工程は、
商品毎の設定金額をチェックする商品毎設定金額チェック工程と、
販売チャネル毎の設定金額をチェックする販売チャネル毎設定金額チェック工程と、
料金プラン毎の設定金額をチェックする料金プラン毎設定金額チェック工程と、
割引コード毎の設定金額をチェックする割引コード毎設定金額チェック工程と、
設定値の最小金額をチェックする設定最小金額チェック工程と
をこの順番に実行することを特徴とする請求項１に記載の販売価格設定情報のチェック方法。
【請求項４】
前記商品毎設定金額チェック工程は、前記入力工程で入力された前記設定情報の販売価格が同一の商品コードに紐付けられた現在までの最大販売価格を超えていないかを確認し、
前記販売チャネル毎設定金額チェック工程は、前記入力工程で入力された前記設定情報の販売価格が同一の商品コード及び販売チャネルに紐付けられた現在有効な最大販売価格を超えていないかを確認し、
前記料金プラン毎設定金額チェック工程は前記入力工程で入力された前記設定情報の販売価格が同一の商品コード及び販売チャネル及び料金プランに紐付けられた現在有効な最大販売価格を超えていないことを確認し、
前記割引コード毎設定金額チェック工程は、前記販売価格マスタの登録レコードの中に、前記入力工程で入力された前記設定情報と同一の商品コード及び販売チャネル及び料金プランを有し、かつ割引コードが異なるものがあるかを確認し、
前記設定値最小金額チェック工程は、前記入力工程で入力された前記設定情報の販売価格が同一の商品コード及び販売チャネルに紐付けられた過去現在に設定した最小販売価格よりも大きいことを確認することを特徴とする請求項３に記載の販売価格設定情報のチェック方法。
【請求項５】
前記商品毎設定金額チェック工程又は前記販売チャネル毎設定金額チェック工程又は前記料金プラン毎設定金額チェック工程において、前記設定情報の販売価格が前記最大販売価格を超過した場合に前記コンピュータ外部の端末装置の画面にエラー表示することを特徴とする請求項４に記載の販売価格設定情報のチェック方法。
【請求項６】
前記割引コード毎設定金額チェック工程において、前記販売価格マスタの登録レコードの中に、前記入力工程で入力された前記設定情報と同一の商品コード及び販売チャネル及び料金プランを有し、かつ割引コードが異なる登録レコードがあることを確認した場合には、前記販売価格マスタから該登録レコードを抹消して前記設定情報を新たに登録するか否かの確認メッセージを前記コンピュータ外部の端末装置の画面に表示することを特徴とする請求項４に記載の販売価格設定情報のチェック方法。
【請求項７】
前記設定値最小金額チェック工程において、前記入力工程で入力された前記設定情報の販売価格が同一の商品コード及び販売チャネルに紐付けられた現在までに設定した最小販売価格よりも小さいことを確認した場合には、前記入力値の見直しを促すメッセージを前記コンピュータ外部の端末装置の画面に表示することを特徴とする請求項４に記載の販売価格設定情報のチェック方法。
【請求項８】
ネットワークを介して管理ＰＣと接続された商品に関する販売価格設定情報の妥当性をチェックする販売価格設定情報チェックサーバと、該チェックの際に参照される該設定情報の各項目の属性を記録したマスタ群を格納し該チェックサーバと接続されたＤＢサーバを有し、
該販売価格設定情報チェックサーバのデータ処理部が、
該管理ＰＣから入力された該設定情報のフォーマットをチェックし、
該設定情報の各項目とそれらに対応する前記マスタ群の各マスタとの整合性をチェックし、
該設定値の金額を前記マスタ群中の一のマスタに記録された過去の設定金額に基づいてチェックすることを特徴とする販売価格設定情報チェックシステム。
【請求項９】
前記マスタ群は、販売価格マスタと、商品マスタと、販売チャネルマスタと、料金プランマスタと、割引コードマスタを含み、
前記データ処理部は、
前記整合性のチェックとして、前記設定情報の内容が前記マスタ群中の各マスタに登録されているか否かのチェックを行い、
前記過去の設定金額に基づくチェックとして、前記設定値の金額を前記販売価格マスタに登録された設定金額の最大値又は最小値に基づいてチェックすることを特徴とする請求項８に記載の販売価格設定情報チェックシステム。
【発明の詳細な説明】
【技術分野】
【０００１】
本発明は、商品の販売価格設定情報のチェック方法及びシステムに関する。
【背景技術】
【０００２】
製品の販売において、価格を決定するには多種多様な方法がある。下記の特許文献１には、入力される製品の原価を示す原価データと製品の売上数量を示す売上数量データをもとに、当該製品の粗利率を決定し、当該製品の基準となる販売価格を算出し表示するシステムが開示されている。しかし、同文献は販売価格を算出した後、過去の同一製品又は類似製品の設定価格に基づく価格の妥当性チェックや、商品名や販売チャネル名等の販売属性情報に関する販売マスタによるチェックを行っていない。これらのチェック作業は従来人手により行なわれている。
【先行技術文献】
【特許文献】
【０００３】
【特許文献１】特開２０１２−１３３６４７号公報
【発明の概要】
【発明が解決しようとする課題】
【０００４】
上述のように、従来の技術は、過去の販売価格に基づく価格の妥当性チェックや、販売属性情報に関する販売マスタによるチェックを行っていないため、同一又は類似製品であるにも関わらず、かけ離れた価格を設定したり、また人手による整合性チェックの場合には、チェック作業に長時間を要し、作業ミスを生じる可能性も高い。
【０００５】
本発明の目的は、設定しようとする商品の販売価格の妥当性を誤りが少なく短時間でチェックすることができる販売価格設定情報のチェック方法及びシステムを提供することである。
【課題を解決するための手段】
【０００６】
本発明は、コンピュータを利用して商品に関する販売価格設定情報の妥当性をチェックする販売価格設定情報チェック方法において、コンピュータは設定情報の各項目の属性を記録したマスタ群を格納する記憶部を有し、このチェック方法は、オペレータの操作により設定情報をコンピュータに入力する入力工程と、コンピュータのデータ処理部が、入力された設定情報のフォーマットをチェックするフォーマットチェック工程と、設定情報の各項目とそれらに対応するマスタ群の各マスタとの整合性をチェックするマスタチェック工程と、設定値の金額をマスタ群中の一のマスタに記録された過去の設定金額の最大値及び最小値に基づいてチェックする設定金額チェック工程とをこの順番に実行する。
【０００７】
また、商品は通信デバイスであり、マスタ群は、販売価格マスタと、商品マスタと、販売チャネルマスタと、料金プランマスタと、割引コードマスタとの５種類のマスタであり、マスタチェック工程は、設定情報と販売価格マスタとの整合性をチェックする販売価格マスタチェック工程と、設定情報と商品マスタとの整合性をチェックする商品マスタチェック工程と、設定情報と販売チャネルマスタとの整合性をチェックする販売チャネルマスタチェック工程と、設定情報と料金プランマスタとの整合性をチェックする料金プランマスタチェック工程と、設定情報と割引コードマスタとの整合性をチェックする割引コードマスタチェック工程とをこの順番に実行するよう構成しても良い。また、本発明は、上記方法を実施するシステムとしても構成することができる。
【発明の効果】
【０００８】
本発明によれば、設定しようとする商品の販売価格の妥当性を誤りが少なく短時間でチェックすることができる。
【図面の簡単な説明】
【０００９】
【図１】実施形態に係る販売価格設定情報のチェックシステムの構成を示す図である。
【図２】販売価格設定入力画面イメージである。
【図３】販売価格設定チェック時に参照する各マスタである。
【図４】販売価格設定チェックの処理フローである。
【図５】販売価格設定の入力例である。
【図６】エラーメッセージＭ１の出力イメージである。
【図７】エラーメッセージＭ２の出力イメージである。
【図８】エラーメッセージＭ３の出力イメージである。
【図９】エラーメッセージＭ４の出力イメージである。
【図１０】エラーメッセージＭ５の出力イメージである。
【発明を実施するための形態】
【００１０】
以下、図面を用いて本発明の実施の形態を説明する。本実施形態の対象商品は、通信事業者が携帯電話／通信サービスの契約を顧客と締結する時に紐づけて販売する通信デバイス単体である。図１は本発明の実施形態に係るシステム構成図である。本販売価格設定情報チェックシステム１０は、販売価格設定情報の妥当性をチェックする販売価格設定情報チェックサーバ１と、チェックの際に設定情報の各項目をチェックするための各マスタを格納するＤＢサーバ２とから構成され、その外部に、ネットワーク５（ＬＡＮ又はＷＡＮ）を介して販売価格設定情報チェックサーバ１と接続された本システムの管理ＰＣ３と、ネットワーク６（ＷＡＮ）を介して販売価格設定情報チェックサーバ１と接続された通信事業者の各販売拠点における販売拠点ＰＣ群４が配置される。
【００１１】
次に、販売価格設定情報チェックサーバ１について図１に基づき説明する。このチェックサーバ１は、同サーバ１全体を制御するデータ処理部１１と、ネットワーク５との通信を行う通信部１２と、同サーバ１の入出力を行う入出力部１３と、ネットワーク６との通信を行う通信部１４とから構成される。
【００１２】
続いて、ＤＢサーバ２に格納されている各マスタについて説明する。これらのマスタは、過去現在を通じて通信事業者が設定した通信デバイスの販売価格関連情報を登録した販売価格マスタ２１と、商品コードと商品名を登録した商品マスタ２２と、商品の販売チャネルコードと販売チャネル名を登録した販売チャネルマスタ２３と、電話・通信サービスの料金プランコードと料金プラン名を登録した料金プランマスタ２４と、同サービスの割引コードと割引の種類を登録した割引コードマスタ２５とから構成される。
【００１３】
次に、前記各マスタの詳細内容について図３に従って以下説明する。まず、販売価格マスタ２１は、販売価格およびその他販売に関する情報を保持する。本システムはこのマスタの販売価格を設定する時、又は見直し時にその設定情報又は見直し値の妥当性をチェックした後、それらの値により本マスタの内容を更新するものである。本マスタ２１は販売コード３１１、商品コード３１２、販売開始日３１３、販売終了日３１４、販売価格３１５、販売チャネルコード３１６、料金プランコード３１７、割引コード３１８の計８項目から構成される。
【００１４】
このうち、販売コード３１１は各販売形態ごとの識別番号、商品コード３１２は商品マスタ２２で定義される商品名３２２ごとの識別記号であり、販売開始日３１３はその販売形態につき販売を開始した日、販売終了日３１４はその販売が終了した日、販売価格３１５はその販売形態の販売価格である。
【００１５】
更に、販売チャネルコード３１６は販売チャネルマスタ２３で定義される販売チャネル名３３２ごとの識別記号、料金プランコード３１７は料金プラン（従量課金／定額）名３４２ごとの識別記号、割引コード３１８は割引コードマスタ２５で定義される割引の種類（登録料割引３５２／通信料割引３５３の組み合わせ）ごとの識別番号である。
【００１６】
次に、図３の販売価格マスタ２１のテーブル内容につき詳細に説明する。商品コード３１２は、商品マスタ２２のテーブルを参照すると、商品名「デバイスＡ」に対応する「Ｓ００１」のみの１種類である。また、販売チャネルコード３１６は、販売チャネルマスタ２３を参照すると、販売チャネル名が「Ａサイト」と「Ｂサイト」に対応する２種類である。また、料金プランコード３１７は、料金プランマスタ２４を参照すると、料金プラン名が「従量課金」と「定額」に対応する２種類である。更に、割引コード３１８は、割引コードマスタ２５を参照すると、「登録料割引」と「通信料割引」の組み合わせに対応する３種類である。
【００１７】
販売価格マスタ２１において、販売コードが０００１と０００２である最初の２行（レコード）は、両者間で料金プランコードが違うため、販売価格が異なっているが、その他の項目の内容は同一である。しかし、両者とも販売終了日が２０１２／３／３１と既に販売が終了している。これに対して、販売コードが０００３の行は、０００１の行について販売価格のみ見直したものであり、０００１の販売終了直後（２０１２／４／１）から販売を開始している。
【００１８】
また、０００４の行も、０００２の行について販売価格のみ見直したものであり、０００２の販売終了直後（２０１２／４／１）から販売を開始している。販売コードが０００５である最後の行は、その前の行までは販売チャネルがＡＡＡＡのみであったが、この行から販売チャネルのＢＢＢＢも開拓され販売チャネルとして新たに加わったことを示している。
【００１９】
次に、図４に販売価格設定情報チェックの処理フローを示す。また図５に販売価格情報を設定する入力例を示す。本システムのユーザである通信事業者は各商品の販売価格情報を定期的に見直し、又は新商品発表ごとに新たな販売価格情報を設定し、販売価格マスタを更新している。その際に、販売価格設定情報チェックサーバ１のデータ処理部１１によって、設定しようとしている販売価格の妥当性をチェックする。販売価格の見直し、設定の例として、図５の入力１〜８の新たなケースを入力して設定し、販売価格マスタ２１を更新する場合を想定する。
【００２０】
まず、管理ＰＣ３から、図５の各入力（各行）ごとにオペレータが各項目の内容を図２のフォーマットで入力する（Ｓ４０１）。続いて、入力フォーマットのチェック（Ｓ４０２）を行う。販売価格３１５のフォーマットは数値しか許容していないが、入力１では、英字（「ＡＡＡＡ」）が入力されている。この場合、設定ＮＧとして画面エラー内容表示処理Ｓ４１０へ遷移し、図６に示すようなエラーメッセージＭ１を管理ＰＣ３の画面に表示する。その他の入力（２〜８）については特に問題ない。
【００２１】
Ｓ４０２における入力フォーマットチェックで問題がない場合は、各マスタとの整合性のチェックを行うＳ４０３へ遷移する。このチェックでは、販売価格３１５以外の各項目のコード値に関して、各項目のマスタとの整合性を確認する。商品コード３１２は商品マスタ２２を、販売チャネルコード３１６は販売チャネルマスタ２３を、料金プランコード３１７は料金プランマスタ２４を、割引コード３１８は割引コードマスタ２５を参照する。
【００２２】
各項目に入力したコード値のうちマスタに存在しないものがある場合はエラーメッセージを表示する。ここで、入力２では、商品コードに入力された値である「Ｓ９９９」が商品マスタ２２に存在しないため、設定ＮＧとして画面エラー内容表示処理Ｓ４１１へ遷移し、図７に示すようなエラーメッセージＭ２を管理ＰＣ３の画面に表示する。その他の入力（３〜８）については特に問題ない。
【００２３】
Ｓ４０３において、チェックがＯＫで各項目のコード値が各マスタに存在する場合は、商品毎の設定金額チェック（Ｓ４０４）へ遷移する。入力した図５の販売価格３１５について、販売価格マスタ２１を参照し、入力した商品コードに紐付けられた過去及び現在の最大販売価格を超えていないか確認する。この理由は、同一商品について、過去及び現在ともに定価を上回ってはならないので、現在までの設定値は全て定価を超過しないように設定しているためである。
【００２４】
図３のうち販売価格マスタ２１において商品コードがＳ００１で設定されている販売コードは全レコード（５レコード）であり、そのうち販売コード０００１の販売価格１２０００￥が最大販売価格となる（この価格は定価である）。最大販売価格を超えている場合は、設定ＮＧとして、最大販売価格を超える販売金額が入力されていることを示すエラーメッセージを画面に表示する。ここで、入力３の場合、商品コードＳ００１で設定されている販売価格の最大価格１２０００￥と入力値である１３０００￥を比較し、入力値の方が大きいため、設定ＮＧとして画面エラー内容表示処理Ｓ４１２へ遷移し、図８に示すようなエラーメッセージＭ３を管理ＰＣ３の画面に表示する。
【００２５】
本ステップにおいて、チェックがＯＫで入力した商品コードに紐付けられた最大販売価格を超えていない場合は、チャネル毎の設定金額チェックＳ４０５へ遷移する。本チェックでは、同一商品かつ同一販売チャネルにおいて、入力した販売価格が商品コード及び販売チャネルコードに紐付けられた現在有効な最大販売価格を超えていないか確認する。超えている場合は、設定ＮＧとして最大販売価格を超えていることを示すエラーメッセージを画面に表示する。
【００２６】
ここで、販売価格マスタ２１において、入力４と商品コードＳ００１と販売チャネルコードＡＡＡＡが同一かつ販売開始日と販売終了日から現在有効である販売価格の最大のものは販売コード０００３の販売価格８０００￥であり、入力４の販売価格９０００￥と比較すると入力値が大きいため、設定ＮＧとして画面エラー内容表示処理Ｓ４１２へ遷移し、図８に示すようなエラーメッセージＭ３を管理ＰＣ３の画面に表示する。
【００２７】
本ステップにおいて、チェックがＯＫで入力値が入力した商品コード及び販売チャネルコードに紐付けられた最大販売価格を超えていない場合は、料金プラン毎の設定金額チェックＳ４０６へ遷移する。入力した販売価格が入力した同一商品、同一販売チャネルかつ同一料金プランコードに紐付けられた最大販売価格を超えていないか確認する。入力４と同一商品、同一販売チャネルかつ同一料金プランコードで販売価格の最大のものは販売コード０００３の販売価格８０００￥であり、入力値９０００￥の方が大きいため、設定ＮＧとして画面エラー内容表示処理Ｓ４１２へ遷移し、図８に示すようなエラーメッセージＭ３を管理ＰＣ３の画面に表示する。
【００２８】
また、入力５と同一商品、同一販売チャネルかつ同一料金プランコードで販売価格の最大のものは販売コード０００４の販売価格５０００￥であり、入力値７０００￥の方が大きいため、設定ＮＧとして画面エラー内容表示処理Ｓ４１２へ遷移し、図８に示すようなエラーメッセージＭ３を管理ＰＣ３の画面に表示する。  ここで、本ステップで最大販売価格を超えていない場合は、割引コードチェックＳ４０７に遷移する。入力された割引きコードについて、過去及び現在の設定情報を調べる。入力６の場合、ここまでのチェックは問題ない。もし、入力６のレコードを登録すると、割引コード０００１を登録する初回ケースとなる。
【００２９】
しかし、本レコードの設定を許すと、既存の販売コード０００４と併存することになる。両者は共に商品、販売チャネル、料金プランが全て同一であるが、割引コードが異なるため、割引内容が相違するので両者間で不公平が生じる。従って、両者を併存させることはできないため、以下の処理を行う。即ち、既存の販売コード０００４を閉じて、新たな入力６を登録することで問題ないかを管理ＰＣ３の画面に図９のフォーマットでメッセージ出力する（Ｓ４１３）。また、同様に、入力７と販売コード０００５とは、両者共に商品、販売チャネル、料金プランが全て同一であるが、割引コードが異なるため、両者を併存させることはできない。
【００３０】
従って、既存の販売コード０００５を閉じて、入力７を新たに登録することで問題ないかを管理ＰＣ３の画面に図９のフォーマットでメッセージ出力する（Ｓ４１３）。次ステップＳ４０８では、入力した販売価格が入力した同一商品、同一販売チャネルに紐付けられた販売価格マスタの中での最小販売価格を下回っていないかを確認する。通信事業者による通信機器の販売は、携帯電話／通信サービスへの紐付きの場合が多いため、通信機器は安価に設定されがちである。従って、今まで販売価格マスタに登録されている販売価格中で最小の価格を目安として歯止めをかけるため、設定価格がこの最小価格より下回った場合には、アラームのメッセージを出力して設定値の見直しを促す。
【００３１】
ここで、入力８の場合、同一商品、同一販売チャネルに紐付けられた販売価格マスタの中での最小販売価格である販売コード０００４の販売価格５０００より安い金額（０）での設定となるため、入力値の見直しを促す図１０のフォーマットのメッセージを出力する（Ｓ４１４）。
【００３２】
Ｓ４０９までのチェックで問題がない場合には、図５に示す入力レコードを登録して販売価格マスタ２１を更新する。逆に、各ステップにおいてエラーが生じた場合には、入力値を見直して（Ｓ４１５）、再度Ｓ４０１から図４のフロー処理をやり直す。なお、販売拠点ＰＣ群４の各販売拠点ＰＣからネットワーク６及び販売価格設定値チェックサーバ１を介してＤＢサーバ２に格納された各マスタ２１〜２５にアクセスして、随時各商品の販売価格情報を参照することができる。
【符号の説明】
【００３３】
１  販売価格設定情報チェックサーバ、２  ＤＢサーバ、３  管理ＰＣ、
４  販売拠点ＰＣ群、５  ネットワーク、６  ネットワーク、２１  販売価格マスタ
２２  商品マスタ、２３  販売チャネルマスタ、２４  料金プランマスタ
２５  割引コードマスタ
【図１】
2015132938.tif 000003
【図２】
2015132938.tif 000004
【図３】
2015132938.tif 000005
【図４】
2015132938.tif 000006
【図５】
2015132938.tif 000007
【図６】
2015132938.tif 000008
【図７】
2015132938.tif 000009
【図８】
2015132938.tif 000010
【図９】
2015132938.tif 000011
【図１０】
2015132938.tif 000012